(57)【要約】【課題】軸回りの回転により開閉する障子を所定角度で固定することができると共に意匠性に優れるサッシを提供する。【解決手段】本発明のサッシ１は、軸回りの回転により開閉する障子３と、操作ハンドル１１と、回転制御器１３とを備えている。操作ハンドル１１は、障子３の開閉操作をするものであり、障子３に着脱自在に取付けてあり、回転制御器１３は、障子３の回転を所定角度で固定するものであり、一端部に障子３に係合する障子係合部１７を有し、他端部に枠６に連結する枠連結部１９を有し、回転制御器１３の障子係合部１７は障子３の見込み面３ａに係脱自在であり、枠連結部１９は枠６に設けた取付金具２１に脱着自在としてある。【選択図】図１
2008106523.tif 000002
【特許請求の範囲】
【請求項１】
軸回りの回転により開閉する障子と、操作ハンドルと、回転制御器とを備え、操作ハンドルは、障子の開閉操作をするものであり、障子に着脱自在に取付けてあり、回転制御器は、障子の回転を所定角度で固定するものであり、一端部に障子に係合する障子係合部を有し、他端部に枠に連結する枠連結部を有し、回転制御器の障子係合部は障子の見込み面に係脱自在であり、枠連結部は枠に設けた取付金具に脱着自在としてあることを特徴とするサッシ。
【請求項２】
回転制御器の障子係合部は、中間突出位置と中間突出位置よりも突出した最大突出位置とに移動自在な係合軸と、係合軸を最大突出位置に向けて常時付勢する付勢部材と、係合軸を中間突出位置に保持する保持機構と、最大突出位置にある係合軸を中間突出位置へ引込み操作する引込み操作部とを有し、保持機構が係合軸を中間突出位置に保持した状態で、障子が障子係合部を乗り越えるときに障子が係合軸を押して引込み方向に移動させることにより係合軸の保持が解除されて、係合軸が付勢部材の付勢力により最大突出位置に移動して障子の見込み面に係合し、引込み操作部の操作により係合軸を最大突出位置から中間突出位置に移動させて係合軸を障子から外せることを特徴とする請求項１に記載のサッシ。
【発明の詳細な説明】
【技術分野】
【０００１】
本発明は、縦軸回転サッシ、横軸回転サッシ、内開きサッシや内倒しサッシ等のサッシの開閉時に障子が軸回りを回転して、障子の上下左右のうちの一側部が室内側に突出するサッシに関する。
【背景技術】
【０００２】
特許文献１には、軸回りの転回により開閉する障子と枠との施開錠を操作する操作ハンドルを枠に脱着自在に設けたことが開示されている。
また、この公報には、回転制御器で障子の回転を所定角度で固定することが開示されているが、回転制御器は一端を枠の見込み面に他端を障子の見込み面に常時固定している。
【０００３】
【特許文献１】特開２００４−２８５６１０号公報
【発明の開示】
【発明が解決しようとする課題】
【０００４】
しかし、サッシに回転制御器を取付けたままの状態にしてあると、サッシの意匠を阻害するという問題がある。
一方、特許文献１には枠と障子とに回転制御器を固定する方法については開示されていないが、一般的には枠と障子との各々に回転制御器をねじ固定するので、障子を開けるときにのみにその都度回転制御器を取付けたり取り外したりしようとすれば、回転制御器の取付け及び取外しに手間がかかる。
【０００５】
本発明は、軸回りの回転により開閉する障子を所定角度で固定することができると共に意匠性に優れるサッシの提供を目的とする。
【課題を解決するための手段】
【０００６】
請求項１に記載の発明は、軸回りの回転により開閉する障子と、操作ハンドルと、回転制御器とを備え、操作ハンドルは、障子の開閉操作をするものであり、障子に着脱自在に取付けてあり、回転制御器は、障子の回転を所定角度で固定するものであり、一端部に障子に係合する障子係合部を有し、他端部に枠に連結する枠連結部を有し、回転制御器の障子係合部は障子の見込み面に係脱自在であり、枠連結部は枠に設けた取付金具に脱着自在としてあることを特徴とする。
【０００７】
請求項２に記載の発明は、請求項１に記載の発明において、回転制御器の障子係合部は、中間突出位置と中間突出位置よりも突出した最大突出位置とに移動自在な係合軸と、係合軸を最大突出位置に向けて常時付勢する付勢部材と、係合軸を中間突出位置に保持する保持機構と、最大突出位置にある係合軸を中間突出位置へ引込み操作する引込み操作部とを有し、保持機構が係合軸を中間突出位置に保持した状態で、障子が障子係合部を乗り越えるときに障子が係合軸を押して引込み方向に移動させることにより係合軸の保持が解除されて、係合軸が付勢部材の付勢力により最大突出位置に移動して障子の見込み面に係合し、引込み操作部の操作により係合軸を最大突出位置から中間突出位置に移動させて係合軸を障子から外せることを特徴とする。
【発明の効果】
【０００８】
請求項１に記載の発明によれば、障子を閉じている通常の状態では、操作ハンドル及び回転制御器を取り外してあり、メンテナンスや清掃等の為に障子を開くときにのみ操作ハンドル及び回転制御器を取付けるので、障子を閉じているときには操作ハンドルや回転制御器がないからサッシの意匠性に優れ、不用意に障子を開けて人や物が落下する危険性が少なくなる。
また、回転制御器は障子の見込み面に係合により取り付くものなので、サッシに回転制御器を取付けたときに外観を大きく損ねることがない。
【０００９】
請求項２に記載の発明によれば、請求項１に記載の効果を奏すると共に、回転制御器の障子係合部を乗り越えるように障子を回転させるだけで障子係合部を障子に係合できると共に、回転制御器と障子との係合の解除は引込み操作部を操作するだけであるから、回転制御器の障子係合部と障子との係脱が容易である。
【発明を実施するための最良の形態】
【００１０】
以下に、添付図面を参照して本発明の実施の形態を説明する。図１は本発明の実施の形態にかかるサッシにおいて枠に回転制御器を取付けた状態を示す図であり、（ａ）はサッシの下部における横断面図、（ｂ）は室内側から見た正面図であり、（ｃ）は縦断面図であり、（ｄ）は（ｃ）に示すＤ部の拡大図であり、図２は図１（ａ）に示すＡ−Ａ断面図であり、図３は図１（ｂ）に示すＢ−Ｂ断面図であり、図４は枠に回転制御器を装着した部分の分解斜視図であり、図５は障子係合部を切断して示す斜視図であり、図６は障子係合部を構成する部品の図であり、（ａ）は第１カムの斜視図であり、（ｂ）は第２カムの斜視図であり、（ｃ）は案内部材の斜視図であり、（ｄ）は（ｃ）のＤ−Ｄ線で示す位置で切断した断面図であり、（ｅ）は（ｄ）のＥ−Ｅ線で示す位置で切断した断面図であり、図７は回転制御器の障子係合部と障子との係脱を説明する図であり、（Ａ）〜（Ｄ）は障子を移動したときの各位置における障子係合部の係脱を示す断面図であり、図８（Ａ）〜（Ｂ３）は、図７に示す（Ａ）及び（Ｂ）の各位置における係合軸と第１カムと第２カムと第３カムとの関係を示す断面図であり、（ａ）〜（ｂ３）は第１〜第３カムのみを抜き出して示す断面図であり、図９（Ｃ）〜（Ｄ３）は、図７に示す（Ｃ）及び（Ｄ）の各位置における係合軸と第１カムと第２カムと案内部材との関係を示す断面図であり、（ｃ）〜（ｄ３）は第１〜第３カムのみを抜き出して示す断面図であり、図１０は障子を開くときの回転制御器の作用を説明する図であり、各回転角度におけるサッシの横断面図であり、図１１の（ａ）は障子が閉じ位置にあるときに室内側から見たサッシの正面図であり、（ｂ）は（ａ）に示すＣ部の拡大図であり且つ操作ハンドルによる障子の固定解除操作を説明する図であり、図１２は本実施の形態にかかるサッシの横断面図である。尚、図１（ｃ）に二点鎖線で示すのは窓拭き作業用のフックである。
【００１１】
本実施の形態にかかるサッシ１は、縦軸回転サッシであり、障子３は縦軸の軸回りを回転して開閉するものである。このサッシ１には、操作ハンドル１１（図１１参照）と回転制御器１３（図１参照）とが各々脱着自在に設けてある。
図１１及び図１２に示すように、障子３の竪框５には、操作ハンドル１１の係合孔７が設けてあり、この操作ハンドル係合孔７は操作ハンドル１１を脱着自在に係合すると共に障子３を枠６に対して施解錠することも兼ねている。操作ハンドル係合孔７は図１１（ｂ）に示すようにスライド自在なカバー９で覆ってあり、カバー９を図１１（ｂ）に示すように矢印方向にスライドさせて操作ハンドル係合孔７を露出するようになっている。枠６に対する障子３の解錠は、操作ハンドル１１を操作ハンドル係合孔７に差し込んで回動操作すると竪框に設けてあるデッドボルト８（図１２参照）が障子側に引込み且つ操作ハンドルは係合孔７に係合して保持された状態になる。
回転制御器１３は、図１０の(ａ)〜(ｃ)に示すように障子３の回転を所定角度で固定するものであり、図１及び図４に示すように、本体部１５と、腕部１６とを有し、腕部１６の先端部（一端部）に障子３に係合する障子係合部１７を有し、本体部１５の端部（他端部）に枠６に連結する枠連結部１９とが設けられている。
図４に示すように、枠６の下側見込み面６ａには２つの取付金具２１が間隔を開けて各々ねじ固定してある。２つの取付金具２１には各々対向する突起部２２が形成してあり、突起部２２が下側見込み面６ａとの間に隙間を形成している。
枠連結部１９は本体部１５から突設した舌片であり、取付金具２１の突起部２２と枠６の下側見込み面６ａとの間の隙間に室内側から挿入して装着するようになっている。尚、取付金具２１に枠連結部１９を装着後、枠連結部１９のねじ孔にボルト２３で締め付けることにより取付金具２１に圧接して枠連結部１９の脱落を防止している。
本体部１５は平面視略半円状を成す基板２５を有し、基板２５の外周には歯２７が形成されており、歯２７の内周側には係止孔２９が周方向に略９０度の角度で３個形成されている。
腕部１６は軸部２６により基板２５に軸着してあり、軸部２６の軸回りを回転自在である。腕部１６には基板２５の外周に形成してある歯２７と歯合する歯車３０を有する減速器３１が設けてある。減速器３１は図２に示すようにボックス内に複数の摩擦板２８が設けてあると共に粘性流体が充填されており、歯車３０に連結された摩擦板２８と粘性流体との摩擦抵抗により歯車３０の回転を制動している。粘性流体は、例えば、シリコンオイルである。
図１及び図４に示すように、腕部１６において軸部２６と減速器３１との間には、回転固定部３３が設けてある。図３に示すように、回転固定部３３は基板２５に形成してある係止孔２９に上から嵌合する嵌合部材３５と嵌合部材３５を常時基板２５に向けて付勢するスプリング３７とを有しており、操作摘み３９を引き上げて嵌合部材３５を係止孔２９から外すようになっている。
図１及び図４に示すように、障子係合部１７は腕部１６の先端部に設けてあり、障子係合部１７は、図５に示すように、ケース４０内に係合軸４１と、保持機構４２と、付勢部材４９とを有し、係合軸４１は中間突出位置（図７（Ａ）参照）と中間突出位置よりも突出した最大突出位置（図７（Ｃ）参照）とに移動自在になっており、保持機構４２は係合軸４１を中間突出位置で保持する。
一方、図１に示すように、障子３の下見込み面３ａには切除部５６に係合金具５７をねじで止めてあり、障子係合部１７の係合軸４１は係合金具５７の係合孔５７ａに係合するようになっている。係合金具５７は、図１（ｄ）に示すように、室内側部３ｂが障子３の下見込み面３ａから下方に突出した突部５７ｂになっており、この突部５７ｂには室内側と室外側とに各々テーパ５７ｃが形成されており、係合軸４１を乗り越えるときの押圧と乗り越えた後に係合軸４１が係合孔５７ａに係合するのをスムーズにしている。
保持機構４２は、図５に示すように、係合軸４１が係止している第１カム４３と、第１カム４３にカム面が係合する第２カム４５と、第１カム４３と第２カム４５との移動を案内すると共に所定位置で第２カムのカム面に係合する第３カム４７で構成されている。付勢部材４９はコイルスプリングであり、係合軸４１を最大突出位置に向けて常時付勢している。
図６に示すように、第１カム４３は筒状であり、一端に第１カム面４３ａが形成してあり、他端に係合軸４１の係止部４３ｂ（図５参照）が筒の内方に向けて突設してあり、第１カム４３の筒内に挿入された係合軸４１の外周段部４１ａに係止するようになっている。第１カム４３の外周面には、外方に向けて突設した突起４３ｃが形成されている。第１カム面４３ａは周方向に沿って山と谷を有する連続した凹凸になっている。
第２カム４５は、第１カム４３と同じ径の筒状であり、一端に第１カム面４３と噛み合う第２カム面４５ａを有している。この第２カム４５の外周面には、外方に向けて突設した突起４５ｂが設けてある。
第３カム４７は筒状であり、筒内には第１カム４３と第２カム４５を直列に配置している（図５参照）。第３カム４７の内周面には、第１カム４３と第２カム４５の移動を直線状に案内する案内溝４７ｂが四方に形成されており、且つ案内溝４７ｂは筒の一端から筒両端間の途中まで形成されている。この案内溝４７ａには、第１カム４３の突起４３ｃと第２カム４５の突起４５ｂがスライド自在に係合する。図６の（ｄ）（ｅ）に示すように第３カム４７の内周面において、隣り合う案内溝４７、４７間で且つ案内溝４７の下端の位置に第３カム面４７ａが形成されている。この第３カム面４７ａには案内溝４７ｂから外れた第１カム４３の突起４３ｃが係合する。
付勢部材４９はケース４０と第１カム４３との間に設けてあり、係合軸４１の突出方向に向けて第１カム４３を係合軸４１の突出方向に常時付勢している。
係合軸４１には突出側端と反対側の端にケース４０から突出した引込み操作部５１が設けてあり、引込み操作部５１の引込み操作により係合軸４１の突出端がケース４０側に引き込むものである。また、係合軸４１には軸方向中間部にスプリングピン４１ｂが取付けてあり、係合軸４１を押し下げたときに第２カム４５に当接して押し下げるようになっている。
尚、図４に示すように、障子係合部１７の室内側面及び室外側面には、ゴム製の保護部材５９が貼着されており、枠６に当接したときに枠６が傷つかないようになっている。
【００１２】
次に、本実施の形態にかかるサッシ１における回転制御器１３の取付け、障子３の開閉操作、作用及び効果について説明する。
回転制御器１３の取付け前に予め、サッシ１の下枠６の下側見込み面６ａには取付け金具２１をねじで固定しておき、障子３の下見込み面３ａには切除部に係合金具５７をねじで止めておく。
回転制御器１３の装着は、枠連結部１９を取付け金具２１、２１と下枠６との間に室内側から差し込んで装着し、ボルト２３で締め付けて枠６に固定する。腕部１６は下枠６の横に下枠６と略平行に配置しておき、操作つまみ３９を操作して基板２５の係止孔２９に嵌合部材３５を嵌めて腕部１６が動かないようにしておく。
図１１（ａ）に示す障子３の閉じ状態において、枠６に対する障子３の施錠を解除するが、施錠の解除は、図１１（ｂ）に示すように、障子３のカバー９をスライドして操作ハンドル係合孔７を露出し、操作ハンドル係合孔７に操作ハンドル１１を差し込んで回転操作して開錠する。これにより図１２に示すラッチボルト８が障子側に引っ込んで枠６から外れ、障子３は回転可能になると共に操作ハンドル１１は係合孔７に係合して抜けなくなる。
次に、障子係合部１７と障子３との係合について説明する。図７（Ａ）に示すように、障子係合部１７では、係合軸４１は枠６の上側見込み面６ｂよりも少し突出した中間突出位置に位置する。この中間突出位置では、図８（Ａ）（ａ）に示すように、第１カム４３の突起４３ｃは第３カム４７の案内溝４７ｂから外れて第３カム面４７ａの谷４７ｅ（図６（ｄ）参照）に係合しており、第１カム面４３ａの山４３ｅ(図６（ａ）参照)が第２カム面４５ａの傾斜面に当接している。
障子３を閉じ位置（図７（Ａ））から回転させて障子３が障子係合部１７を乗り越えようとしたときに、図７（Ｂ）に示すように障子３の室内側部３ｂに設けた突部５７ｂが係合軸４１に乗り上げて、突部５７ｂが中間突出位置にある係合軸４１を引込み方向に押し込む。これにより、図８（Ｂ１）（ｂ１）に示すように、係合軸４１のスプリングピン４１ｂが第２カム４５を押し下げるので、第２カム４５と共に第１カム４３も押し下がり、第１カム４３の突起４３ｃが第３カム面４７ａから外れ、且つ第１カム面４３ａの山４３ｅが第２カム面４５ａの傾斜面に沿って上方に移動して第１カム４３が矢印Ｆ方向に回転する。
続いて、障子３の室内側部３ｂが係合軸４１を乗り越えると、図８（Ｂ２）（ｂ２）に示すように、第１カム４３は付勢部材４９の付勢力により係合軸４１と共に上方に移動し、第１カム４３の突起４３ｃが第３カム面４７ａに係合して、第１カム４３は第３カム面４７ａの傾斜に沿って回転しつつ上昇する。
そして、図８（ｂ３）に示すように、第１カム４３の突起４３ｃが第３カム面４７ａから外れて第３カムの案内溝４７ｂに位置すると案内溝４７ａに沿って上昇する。したがって、図７（Ｃ）に示すように突部５７ｂが通過した後には、図９（Ｃ）（（ｃ）に示すように、係合軸４１は最大突出位置に位置し、係合軸４１が障子３の見込み面内に入り込んで障子３の係合金具５７に係合する。
障子係合部１７の係合軸４１を障子３の下見込み面３ａに係合させた後、操作つまみ３９を引き上げて基板の係止孔３９から嵌合部材３５を引き上げて、図１０（ａ）に示す位置から腕１６を任意の位置まで回動し、例えば、図１０（ｂ）に示すように枠６に対して障子を直角にした位置や図１０（ｃ）に示すような略１８０回転させた位置で、嵌合部材３５はスプリング３７の付勢力により各係止孔３９の位置で自動的に係止孔３９に嵌合し、腕部１６の回転を停止する。
これにより、障子３は所定の回転角度で固定されるから、例えば、障子３の室外側面を清掃したりメンテナンス作業等を室内側からすることができる。尚、障子３の清掃やメンテナンスの時には、図１（ｃ）に示すように回転制御器１３に設けてあるフック掛６３に作業者が装着する案全帯フック６４を係止するようになっている。また、安全を高める為、図１０（ｃ）に示すように障子３と枠６とをチェーン６３で固定してもよい。
一方、障子３を閉じるときには、障子３を図１０（ａ）に示す位置に戻し、図７（Ｄ）の位置で係合軸４１の下端にある引込み操作部５１（図５参照）を下方に引くと、図９（Ｄ１）（ｄ１）で示すように、第１カム４３の突起４３ｃと第２カムの突起４５ｂが第３カム４７の案内溝４７ｂに案内されながら第１カム４３と第２カム４５とが下方に移動し、第１カム４３の突起４３ｃが案内溝４７ｂから外れると第１カム面４３ａの山が第２カム面４５ａに傾斜に沿って移動し、第１カム４３が矢印Ｆ方向の回転を開始する。
更に引込み操作部５１を下方に下げた後、引込み操作部５１を離すと、付勢部材４９の付勢力により、図９（Ｄ２）（ｄ２）で示すように、第１カムが上昇しつつ回転して、図９（Ｄ３）（ｄ３）に示すように、第１カム４３の突起４３ｃは第３カム面４７ａの段差部に係合して止まり、係合軸４１は中間突出位置に保持される。これにより、係合軸４１は障子３との係合が外れるので（図７（Ｄ）参照）、障子３を図１１に示す閉じ状態にし、障子３に取付けたままにしてある操作ハンドル１１を下方に向けて回動して障子を施錠した後、操作ハンドル１１を障子の操作ハンドル係合孔７から外して、操作ハンドル係合孔７にカバー９をスライドして被せる。
次に、回転制御器１３を枠６に固定してあるボルト２３を緩めた後、本体部１５を室内側に引き抜いて回転制御器１３を枠６から外す。
【００１３】
本実施の形態によれば、障子３が閉じ状態にあるときには、図１１に示すように、操作ハンドル１１や回転制御器１３はサッシ１から取り外してあるので、サッシ１の意匠性に優れる。
障子３は略９０度や１８０度回転した位置で固定でき、障子の室外側面における清掃作業やメンテナンス等が安全に且つ容易にできる。
障子３は通常閉じ状態にして操作ハンドルを外してあり、清掃作業やメンテナンス等の時にのみ操作ハンドルを取付けて障子を開くものであるから、特にベランダがないマンションやビルにおいて不用意に障子を開けて人や物が落下する危険性が少なく、安全性が高い。
回転制御器１３は障子３の見込み面３ａに係合により取り付くものなので、サッシ１に回転制御器１３を取付けたときに外観を大きく損ねることがない。
取付金具２１は、枠６の見込み面６ａに取付けているから、回転制御器１３を枠６から外した後に取付金具２１を取付けたままの状態にしても目立たないので、外観が良い。
回転制御器１３の枠連結部１９を枠６に装着後、障子係合部１７を乗り越えるように障子３を回転させるだけで、障子係合部１７は自動的に障子３に係合でき、回転制御器１３と障子との係合が容易にできる。しかも、回転制御器１３と障子３との係合の解除は引込み操作部５１を操作するだけであるから、回転制御器１３の障子係合部と障子との係脱がワンタッチで容易にできる。
回転制御器１３における腕部１６の回転は、減速器３１により減速されているので、突風に障子３が煽られても急激に回転するのを防止でき、安全性が高い。
回転制御器１３において、嵌合部材３５は操作つまみを一度引き上げて腕部１６を回転すると、嵌合部材３５がスプリング３７に押されながら基板２５上をスライドし、係止孔３７に自動的に係合するので、障子３の角度固定が容易にできる。
【００１４】
本発明は、上述した実施の形態に限らず、本発明の要旨を逸脱しない範囲で種々変形可能である。
本実施の形態では、障子３に設けた突部５７ｂが係合軸４１を押し下げているが、突部５７ｂを設けないで、例えば、障子の室内側部にあるタイト材６１が係合軸４１を押下げることができる程度に十分に硬い場合には、タイト部材６１で係合軸４１を押下げても良いし、障子３の框が係合軸４１を直接押し下げるものであっても良い。
障子係合部１７の係合軸４１は、障子３の見込み面に設けた切除部５６や係合金具５７に係合することに限らず、障子３の見込み面に設けた溝や凹みに係合するものであっても良い。
係止孔２９は９０度間隔で３個設けることに限らず、４５度間隔にして５個設けたり、３０度間隔にして７個設けても良いし、配置角度や数は制限されない。
回転制御器１３の枠連結部１９を取付ける取付金具２１は、枠６の見込み面６ａに設けることに限らず、例えば、枠６の室内側見付面に設けて枠連結部１９をＬ字形状にして上方から取付金具２１に差し込む構成にしても良く、枠６に対する取付金具２１の取付け位置は制限されない。
サッシ１は、縦軸回転サッシに限らず、横軸回転サッシ、内開きサッシや内倒しサッシであってもよく、障子が回転して障子の上下左右のうちの一側部が室内側に突出するものであれば良い。例えば、横軸回転サッシの場合には、竪枠の見込み面に回転制御器の枠連結部を脱装自在に取付け、障子係合部は障子の竪見込み面に係合する構成とすることができる。
保持機構４２は、係合軸４１を中間突出位置で保持し、係合軸４１が押し込まれたときに保持を解除して付勢部材４９により係合軸４１を最大突出位置に突出させるものであれば上述した実施の形態に限らず、他の構造であってもよい。また、引込み操作部５１は係合軸４１を最大突出位置から中間突出位置へ引き込むものであれば良く、係合軸４１の端部に設けることに限らず、保持機構４２のケース４０に設けて操作するものであっても良い。
【図面の簡単な説明】
【００１５】
【図１】本発明の実施の形態にかかるサッシにおいて枠に回転制御器を取付けた状態を示す図であり、（ａ）はサッシの下部における横断面図、（ｂ）は室内側から見た正面図であり、（ｃ）は縦断面図であり、（ｄ）は（ｃ）に示すＤ部の拡大図である。
【図２】図１（ｂ）に示すＡ−Ａ断面図である。
【図３】図１（ｂ）に示すＢ−Ｂ断面図である。
【図４】枠に回転制御器を装着した部分の分解斜視図である。
【図５】障子係合部を切断して示す斜視図である。
【図６】障子係合部を構成する部品の図であり、（ａ）は第１カムの斜視部であり、（ｂ）は第２カムの斜視であり、（ｃ）は案内部材の斜視図であり、（ｄ）は（ｃ）にＤ−Ｄ線で示す断面図であり、（ｅ）は（ｄ）にＥ−Ｅ線で示す断面図である。
【図７】回転制御器の障子係合部と障子との係脱を説明する図であり、（Ａ）〜（Ｄ）は障子を移動したときの各位置における障子係合部の係脱を示す断面図である。
【図８】（Ａ）〜（Ｂ３）は、図７に示す（Ａ）及び（Ｂ）の各位置における係合軸と第１カムと第２カムと第３カムとの関係を示す断面図であり、（ａ）〜（ｂ３）は第１〜第３カムのみを抜き出して示す断面図である。
【図９】（Ｃ）〜（Ｄ３）は、図７に示す（Ｃ）及び（Ｄ）の各位置における係合軸と第１カムと第２カムと案内部材との関係を示す断面図であり、（ｃ）〜（ｄ３）は第１〜第３カムのみを抜き出して示す断面図である。
【図１０】障子を開くときの回転制御器の作用を説明する図であり、各回転角度におけるサッシの横断面図である。
【図１１】（ａ）は障子が閉じ位置にあるときに室内側から見たサッシの正面図であり、（ｂ）は（ａ）に示すＣ部の拡大図であり且つ操作ハンドルによる障子の固定解除操作を説明する図である。
【図１２】本実施の形態にかかるサッシの横断面図である。
【符号の説明】
【００１６】
１      サッシ
３      障子
３ａ    障子の見込み面
６      枠
６ａ    枠の見込み面
１１    操作ハンドル
１３    回転制御器
１７    障子係合部
１９    枠連結部
２１    取付金具
４１    係合軸
４２    保持機構
４９    付勢部材
５１    引込み操作部
【図１】
2008106523.tif 000003
【図２】
2008106523.tif 000004
【図３】
2008106523.tif 000005
【図４】
2008106523.tif 000006
【図５】
2008106523.tif 000007
【図６】
2008106523.tif 000008
【図７】
2008106523.tif 000009
【図８】
2008106523.tif 000010
【図９】
2008106523.tif 000011
【図１０】
2008106523.tif 000012
【図１１】
2008106523.tif 000013
【図１２】
2008106523.tif 000014